(57)【要約】【課題】揮散量の調整可能な揮散器を提案する。【解決手段】芳香剤等の内容物を充填する容器に装着され、該容器内の内容物を吸い上げて揮散させる揮散器において、天面に開口（１ａ）を有すると共に前記容器に着脱自在に係止するケース本体（１）と、このケース本体（１）の内部に設置され容器内の内容物を揮散させる揮散体と、前記ケース本体（１）に合わさって天面の開口（１ａ）を開閉する蓋体（２）とを備え、前記ケース本体（１）の胴体側壁に、上端が開放され該ケース本体の軸方向に沿って切り欠かれた細長い切り欠部（１ｂ）をそれぞれ対向配置し、  前記蓋体（２）に、前記ケース本体（１）の切り欠部（１ｂ）にそれぞれ弾性適合して蓋体（２）を脱落不能に支えるとともに該蓋体（２）の引き上げ押し下げに伴う開閉動作にて該切り欠き部（１ｂ）に沿いスライドさせて蓋体（２）のケース本体（１）に対する間隔（Ｌ）を任意に変更する弾性支持アーム（３）を設ける。【選択図】図１
2005131021.tif 000002
【特許請求の範囲】
【請求項１】
芳香剤等の内容物を充填する容器に装着され、該容器内の内容物を吸い上げて揮散させる揮散器であって、
天面に開口を有すると共に前記容器に着脱自在に係止するケース本体と、このケース本体の内部に設置され容器内の内容物を揮散させる揮散体と、前記ケース本体に合わさって天面の開口を開閉する蓋体とを備え、
前記ケース本体の胴体側壁に、上端が開放され該ケース本体の軸方向に沿って切り欠かれた細長い切り欠部をそれぞれ対向配置し、
前記蓋体に、前記ケース本体の切り欠部にそれぞれ弾性適合して蓋体を脱落不能に支えるとともに該蓋体の引き上げ押し下げに伴う開閉動作にて該切り欠き部に沿いスライドさせて蓋体のケース本体に対する間隔を任意に変更する弾性支持アームを設けたことを特徴とする揮散器。
【請求項２】
前記ケース本体の胴体側壁に、切り欠部に沿い間隔を置いて配置される開口又は凹部を複数設け、
前記弾性支持アームに、該弾性支持アームのスライドに従って前記開口又は凹部への係合とその解除を繰り返すラチェットタイプの突起を設けた、請求項１記載の揮散器。
【請求項３】
前記ケース本体の最も下端に位置する前記開口又は凹部は、弾性支持アームの突起との係合強度を最も高くさせてなる請求項２記載の揮散器。
【請求項４】
前記ケース本体の胴体側壁に、切り欠部に沿い階段状に連なる段差を設け、
前記弾性支持アームに、該弾性支持アームのスライドに従って前記各段差に係合するラチェットタイプの突起を有する、請求項１記載の揮散器。
【請求項５】
前記段差のうち、ケース本体の底壁に最も近い段差は、胴体側壁の表面から段差面に至るまでの段差代が最も大きいものである、請求項４記載の揮散器。
【請求項６】
前記蓋体は、該蓋体の引き上げに伴って生じる隙間を覆い隠すカバーを一体的に備える請求項１〜５の何れかに記載の揮散器。
【請求項７】
ケース本体及び蓋体の少なくとも一方に、揮散器の内外に通じ揮散にかかわる内容物を通過させる複数のスリットを有する請求項１〜６の何れかに記載の揮散器。
【発明の詳細な説明】
【技術分野】
【０００１】
本発明は、芳香剤等の内容物を揮散させるのに用いて好適な揮散器に関するものである。
【背景技術】
【０００２】
芳香剤等の内容物を揮散させるのに使用される揮散器は、従来、内容物を収容した容器に着脱可能に固定保持するカバー体と、このカバー本体内に配置される揮散板（紙あるいはフェルト製等）と、容器内の内容物を吸い上げるとともに拡散板に染み込ませて揮散させる吸液芯にて構成されていた（例えば特許文献１参照）。
【０００３】
【特許文献１】特開２００１−２６１０８０号公報
【発明の開示】
【発明が解決しようとする課題】
【０００４】
ところで、上記のような従来の揮散器は、カバー体の壁面に設けられたスリットのみを通して内容物を揮散させるのが普通であり内容物の揮散度合いはほぼ一定であって、揮散量の調節を行うことは不可能であった。
【０００５】
本発明の課題は、従来設けられているスリットの他に、ケース本体にかぶさる蓋体との相互間隔を適宜調整して内容物の揮散度合いを調整できる新規な揮散器を提案するところにある。
【課題を解決するための手段】
【０００６】
本発明は、芳香剤等の内容物を充填する容器に装着され、該容器内の内容物を吸い上げて揮散させる揮散器であって、
天面に開口を有すると共に前記容器に着脱自在に係止するケース本体と、このケース本体の内部に設置され容器内の内容物を揮散させる揮散体と、前記ケース本体に合わさって天面の開口を開閉する蓋体とを備え、
前記ケース本体の胴体側壁に、上端が開放され該ケース本体の軸方向に沿って切り欠かれた細長い切り欠部をそれぞれ対向配置し、
前記蓋体に、前記ケース本体の切り欠部にそれぞれ弾性適合して蓋体を落不能に支えるとともに該蓋体の引き上げ押し下げに伴う開閉動作にて該切り欠き部に沿いスライドさせて蓋体のケース本体に対する間隔を任意に変更する弾性支持アームを設けたことを特徴とする揮散器である。
【０００７】
上記の構成になる揮散器においては、前記ケース本体の胴体側壁に、切り欠部に沿い間隔を置いて配置される開口又は凹部を複数設け、
前記弾性支持アームに、該弾性支持アームのスライドに従って前記開口又は凹部への係合とその解除を繰り返すラチェットタイプの突起を設けることができる。
【０００８】
また、前記ケース本体の最も下端に位置する前記開口又は凹部は、弾性支持アームの突起との係合強度を最も高くさせたものが望ましい。
【０００９】
また、前記ケース本体の胴体側壁には、切り欠部に沿い階段状に連なる段差を設け、前記弾性支持アームには、該弾性支持アームのスライドに従って前記各段差に係合するラチェットタイプの突起を設けることができる。
【００１０】
上記構成において、前記段差のうち、ケース本体の底壁に最も近い段差は、胴体側壁の表面から段差面に至るまでの段差代が最も大きいものとするのが好ましい。
【００１１】
前記蓋体は、該蓋体の引き上げに伴って生じる隙間を覆い隠すカバーを一体的に備えるものが好ましく、ケース本体及び蓋体の少なくとも一方に、揮散器の内外に通じ揮散にかかわる内容物を通過させる複数のスリットを設けることができる。
【発明の効果】
【００１２】
蓋体を引き上げるか押し下げることでケース本体の開口相互間の間隔を変更できるので、内容物の揮散量の調整が可能となる。
【発明を実施するための最良の形態】
【００１３】
以下図面を用いて本発明をより具体的に説明する。
図１、図２は本発明に従う揮散器の実施の形態を示したものである。
【００１４】
図における１はその下端部で容器の肩部にアンダーカットやねじ止め等の係合手段によって着脱自在に係止することができるケース本体である。このケース本体１は天面に開口１ａを有しており、その胴体側壁には上端が開放されケース本体１の長手方向に沿って切り欠かれた細長い切り欠部１ｂが対向配置されている。揮散体は図示はしないが開口１ａを通してその内部に配置される。
【００１５】
また、２はケース本体１に合わさって天面の開口１ａを開閉する蓋体、３は蓋体２の側壁下端において一体的に設けられた弾性支持アームである。この弾性支持アーム３はケース本体１の切り欠部１ｂにそれぞれ弾性適合（ケース本体１の胴体側壁面を強く押す向きの力が作用する）して蓋体２を脱落不能に支えるとともに、蓋体２の引き上げ押し下げに伴う開閉動作にて該切り欠部１ｂに沿いスライドさせて蓋体２のケース本体１に対する間隔Ｌを任意に変更する（図２参照）。
【００１６】
また、４はケース本体１の胴体側壁に切り欠部１ｂに隣接したケース本体１の胴体側壁の薄肉部位に該切り欠部１ｂに沿い間隔を置いて配置された複数の開口（又は凹部）、５は弾性支持アーム３のスライドに従って開口（又は凹部）４への係合とその解除を繰り返すラチェットタイプの突起、６はケース本体１及び蓋体２の内外に通じる通路を形成して揮散に係わる内容物を通過させるスリットである。
【００１７】
蓋体２は、弾性支持支持アーム３の突起５が開口（又は凹部）４に係合している図３（ａ）に示すような状態ではケース本体１に脱落不能に支えられており、蓋体２を上に引き上げるかあるいは下に押し下げる力を作用させることで弾性支持アーム３が図３（ｂ）のように弾性変位して開口（又は凹部）４との係合が解除されることとなり蓋体２とケース本体１との間隔Ｌを任意に変更することが可能で内容物の揮散量が簡単に変えられる。
【００１８】
図４、図５は本発明に従う揮散器の他の実施の形態を示したものであり、図における７は蓋体２と一体になるカバーである。
【００１９】
上掲図１に示した構成になるものでは蓋体２の引き上げに際しては、間隔Ｌが大きくなるためケース本体１の内部が見えることになり、見栄えが若干劣ることも懸念される。かかるカバー７を設けることにより蓋体２を引き上げてもケース本体１の内部は覆い隠されるため見栄えが改善され、しかも蓋体２が安定的に支えられる。
【００２０】
弾性支持アーム３の突起５に係合する開口（又は凹部）４は図６（ａ）に示すようにケース本体１の最も下端に位置するものを最大サイズ（幅広ｗ）の開口（又は凹部）とするのがよい。その理由は、開口(又は凹部)の４のサイズ(幅)ｗとｗ1との差によって生じる突起５のかかり量ＨとＨ1との差により係合力に差が生じることになり、弾性支持アーム３の突起５が最も下端の開口（又は凹部）４で係合している状態は蓋体２がケース本体１の天面の開口に合わさった状態であり、この時、突起５が開口（又は凹部）４にしっかりと係合している（係合強度が高い）と、たとえば商品の流通段階で不用意な外力が作用しても蓋体２がケース本体１から簡単に脱落することがないからである。
【００２１】
他の部位の開口（又は凹部）４については、図６（ｂ）に示す如く最も下端のものに比較して小さくする（幅狭ｗ１）ことにより蓋体２の引き上げ、押し下げに要する力が小さくてすむ。
【００２２】
図７は本発明に従う揮散器の他の実施の形態を示したものであって、図中８は開口（又は凹部）４に替えて設けた階段状に連なる段差である。
【００２３】
この例は、図８にその要部を拡大して示す如く、段差８が段差代ｔの異なる４種類８ａ〜８ｄからなるものを示してあり、ケース本体１の底壁に最も近い段差８ｄは段差代ｔが最も大きくなっている。
【００２４】
かかる構造のものは、下向きの力を付与のみで蓋体２を押し下げることができる一方、蓋体２の引き上げに際しては突起５の爪部５ａが段差８の法面ｐに突き当たるため、やや大きな力を加えて該法面ｐを乗り越えるように弾性支持アーム３を弾性変位させるか、あるいは該弾性支持アーム３の最下端を押圧片３ａとしてそれを両側から押し込みながら蓋体２を引き上げる。
【００２５】
このような構造のものも、最下端段差８ｄに隣接する法面ｐの深さを他の法面ｐと比較して深くする構造を採用することにより、突起５が段差８ｄに位置することで、蓋体２がケース本体１にしっかりと保持されるので、たとえば商品の流通段階において不用意な外力が作用しても蓋体２がケース本体１から簡単に脱落することがなく、また、商品の使用時には内容物の揮散量を簡単に変更することが可能となる。
【００２６】
揮散にかかわる内容物を通過させるものとして本発明の実施の形態ではケース本体１、蓋体２にスリット６を設ける場合について説明したが、これは、模様を形成する複数の開口であってもよく、この点については限定されない。また、前掲のケース本体１に形成した開口（又は凹部）４あるいは段差８と蓋体２に形成したラチェットタイプ突起５との位置関係は、ケース本体１にラチェットタイプ突起５を蓋体２に開口（又は凹部）４あるいは段差８を形成するなど、その形成位置を逆転した構成とすることも可能であり、この構成は適宜変更可能である。更には、ケース本体1に設けられた細長い切り欠部１ｂの形成位置も長手方向に限るものではなく、任意に変更可能である。
【００２７】
図９は本発明に従う揮散器に装着するのに適した容器を模式的に示したものであり、この揮散器はキャップ９を取り外したのちケース本体１の下端部を容器の肩部に設けた溝部１０に係合させて固定保持し、吸い上げ芯１１を介して揮散体に内容物を吸い上げる。なお、容器とケース本体１との係合位置も前述の容器肩部に限定されるものではなく、容器のネック部（例えばネックリング）で係合しても良く、その位置は容器構成に合わせ適宜変更可能である。
【産業上の利用可能性】
【００２８】
内容物の揮散量を簡単な操作でもって適宜調整できる使い勝手の良い揮散器を提供できる。
【図面の簡単な説明】
【００２９】
【図１】本発明に従う揮散器の実施の形態を示した図である。
【図２】図１に示した揮散器においてケース本体に蓋体を取り付けた状態を示した図である。
【図３】（ａ）（ｂ）は図１に示した揮散器の要部の断面を示した図である。
【図４】本発明に従う揮散器の他の実施の形態を示した図である。
【図５】図４に示した揮散器につき、蓋体を取り付けた状態を示した外観斜視図である。
【図６】（ａ）（ｂ）は本発明に従う揮散器の要部の断面を示した図である。
【図７】本発明に従う揮散器の他の実施の形態を示した図である。
【図８】図７に示した揮散器の要部の断面を示した図である。
【図９】揮散器の取り付けに適した容器を模式的に示した図である。
【符号の説明】
【００３０】
１  ケース本体
１ａ  開口
１ｂ  切り欠部
２    蓋体
３  弾性支持アーム
４  開口又は凹部
５  突起
５ａ  爪部
６  スリット
７  カバー
８  段差
９  キャップ
１０  溝部
１１  吸い上げ芯
Ｌ  間隔
ｔ  段差代
ｐ  法面
【図１】
2005131021.tif 000003
【図２】
2005131021.tif 000004
【図３】
2005131021.tif 000005
【図４】
2005131021.tif 000006
【図５】
2005131021.tif 000007
【図６】
2005131021.tif 000008
【図７】
2005131021.tif 000009
【図８】
2005131021.tif 000010
【図９】
2005131021.tif 000011